(57)【要約】【課題】確実な秘密保持製を確保した上で、返信内容の確認作業を従来に比較し格段に向上させることが可能な通信シートを提供する。【解決手段】発信者から返信者宛てに発送され、かつ、返信者が所定の事項を記入して発信者宛に返送する本発明に係る葉書シート１であり、枚葉紙からな葉書本体２と、この葉書本体２に剥離可能に粘着積層される積層シート３とを備えて構成されている。葉書本体２には、発信者が発送前に予め所定の事項を記載する発信者記載領域としての返信者宛先領域３ｃと、返信者が記載する返信者記載領域としての返信者回答領域２ｃとが設定され、返信者宛先領域３ｃは、積層シート本体３ａ上に設定されている。【選択図】図１
2009255353.tif 000002
【特許請求の範囲】
【請求項１】
発信者から返信者宛てに発送され、かつ、返信者が所定の事項を記入して発信者宛に返送する通信シートであって、
枚葉紙からなるシート本体と、このシート本体に剥離可能に粘着積層される積層シートとを備え、
前記シート本体には、発信者が発送前に予め所定の事項を記載する発信者記載領域と、返信者が記載する返信者記載領域とが設定され、
前記発信者記載領域は、前記積層シートに設定されていることを特徴とする通信シート。
【請求項２】
前記シート本体は郵便葉書であり、前記発信者記載領域には返信者の住所および宛先が記載されることを特徴とする請求項１記載の通信シート。
【請求項３】
前記シート本体には、返送者に対する返信事項についての説明文が記載された説明文記載シートが連設されていることを特徴とする請求項１または２記載の通信シート。
【発明の詳細な説明】
【技術分野】
【０００１】
本発明は、記載された秘密情報が漏洩するのを防止し得るように工夫された通信シートに関するものである。
【背景技術】
【０００２】
従来、秘密情報が漏洩するのを防止し得るように構成された、通信シートの一種である、例えば図９に示すような葉書シート１００が知られている。なお、図９では、葉書シート１００の裏面側を上向きにしているとともに、その厚み寸法を誇張して示している。この葉書シート１００は、図９（Ａ）に示すように、郵便葉書と同一に寸法設定された葉書部１０１と、この葉書部１０１の一方の短尺端縁（図９に示す例では右端縁）から外方に向かって延設された被覆シート部１０２とからなっている。
【０００３】
かかる葉書シート１００は、通常の用紙からなる第１シート１０３および第２シート１０４と、これら第１および第２シート１０３，１０４間に挟持された中間層１０５とからなっている。そして、特に中間層１０５は、葉書部１０１に対応する部分に接着剤層１０５ａが採用され、これによって葉書部１０１では第１および第２シート１０３，１０４は互いに剥離不能になっている。
【０００４】
一方、被覆シート部１０２に対応する中間層１０５は、粘着材層１０５ｂによって形成され、これによって被覆シート部１０２の第１シート１０３は粘着材層１０５ｂから剥離可能になっている。そして、被覆シート部１０２の第１シート１０３の裏面側には剥離剤が塗布されることによる剥離層１０２ａが形成され、この剥離層１０２ａとこの部分の第１シート１０３とで剥離紙１０６が形成されている。第１シート１０３における葉書部１０１と被覆シート部１０２との間には切り取り線１０３ａが設けられている。
【０００５】
このような葉書シート１００において、葉書部１０１の第１シート１０３には、その左下部に返信者の住所氏名を記載するための返信者宛先記載領域１０１ａが設定されているとともに、その右上部に返信者が書き込む返信事項記載領域１０１ｂが設定されている。
【０００６】
また、返信者宛先記載領域１０１ａは、当該葉書シート１００が封入される郵便の定形封筒の視認窓に対応した位置に設定されている。さらに葉書部１０１の第２シート１０４には、発信者の住所および宛先が記載されている。
【０００７】
かかる構成の葉書シート１００によれば、発信者は、葉書部１０１の返信者宛先記載領域１０１ａに返信者の住所、氏名を記入あるいは印字した上で当該葉書シート１００を返信者宛先記載領域１０１ａが視認窓から視認し得る状態で専用の窓付き封筒に封入し、返信者宛てに郵送することになる。
【０００８】
この封筒が郵送された返信者は、封筒から葉書シート１００を取り出し、その葉書部１０１の返信事項記載領域１０１ｂに回答を記入した上で、図９（Ｂ）に示すように、剥離紙１０６を第２シート１０４の粘着材層１０５ｂから剥がし取り、引き続き被覆シート部１０２の第２シート１０４を葉書部１０１の返信事項記載領域１０１ｂに向けて折り返す。こうすることによって葉書部１０１の第１シート１０３に設定された記入済みの返信事項記載領域１０１ｂを、図９（Ｃ）に示すように、粘着材層１０５ｂを介して葉書部１０１に粘着された被覆シート部１０２により被覆することができる。
【０００９】
このように返信者により所定の返信事項が記載された葉書部１０１の返信事項記載領域１０１ｂは、被覆シート部１０２によって被覆されるため、返信者宛先記載領域１０１ａに記載されている返信者の返信事項を秘匿することができる。この状態の葉書部１０１が発信者に郵送されることになる。そして、この葉書部１０１を受け取った発信者は、葉書部１０１に粘着されている被覆シート部１０２を剥がすことにより、返信事項記載領域１０１ｂに記載されている返信事項を視認することができる。
【００１０】
以上、秘密情報が漏洩するのを防止し得るように構成された従来の葉書シート１００に関し、図９を基に説明したが、これに類似するものとして、例えば特許文献１に記載されているような隠蔽式葉書を挙げることができる。因みに、特許文献１に記載の隠蔽式葉書は、返信用葉書の返信面全面を被覆シートで覆うようになされている点が、必要最小限の被覆を行うようにした図９に示す葉書シート１００と相違している。
【特許文献１】特開２００６−１９８７８８号公報
【発明の開示】
【発明が解決しようとする課題】
【００１１】
ところで、従来の図９に記載されているような葉書シート１００においては、まず、返信用の葉書部１０１の郵送途中で被覆シート部１０２が第三者により剥がされて返信事項記載領域１０１ｂに記載されている内容を盗み見されてしまうことを防止することができないという秘密保持上での問題点が存在する。
【００１２】
また、同葉書シート１００にあっては、当該葉書シート１００の発信者に返送されてきた多くの枚数の葉書部１０１から被覆シート部１０２を一々剥離しなければ返信事項記載領域１０１ｂに記載されている内容を見ることができず、しかもこの剥離作業は非常に面倒であり、返信内容を確認する確認作業の作業性が悪いという問題点も存在する。なお、この問題点については、特許文献１に記載の隠蔽式葉書においても同様に存在する。
【００１３】
本発明は、かかる従来の問題点を解消するためになされたものであって、確実な秘密保持製を確保した上で、返信内容の確認作業を従来に比較し格段に向上させることが可能な通信シートを提供すること目的としている。
【課題を解決するための手段】
【００１４】
請求項１記載の発明は、発信者から返信者宛てに発送され、かつ、返信者が所定の事項を記入して発信者宛に返送する通信シートであって、枚葉紙からなるシート本体と、このシート本体に剥離可能に粘着積層される積層シートとを備え、前記シート本体には、発信者が発送前に予め所定の事項を記載する発信者記載領域と、返信者が記載する返信者記載領域とが設定され、前記発信者記載領域は、前記積層シートに設定されていることを特徴とするものである。
【００１５】
かかる構成によれば、発信者から送られてきた通信シートを受領した返信者は、シート本体の返信者記載領域に所定の情報を記載した上で、発信者が予め所定の情報を記載している発信者記載領域を備えた積層シートを剥離すれば、当該シート本体への記載内容が第三者によって見られても、第三者は返信者が記載した情報を見ることができるが、発信者が記載した情報の内容を知ることができない。
【００１６】
従って、シート本体上に記載された情報が、発信者記載領域に記載された内容と、返信者記載領域に記載された内容との双方を合わせて初めて価値がでるようなものである場合、たとえシート本体上の記載事項を読まれても情報価値がないため、結果として秘密が保持される。
【００１７】
そして、発信者は、特に発信者記載領域に記載された内容が存在しなくても、返信者から返送されてきた多くの通信シートの返信者記載領域に記載されている内容により、例えば所定の主題に沿った統計的な解析を行うことができる。
【００１８】
また、発信者記載領域への記載事項については、当該領域の欄外に例えばコード化した記号や数字を記載しておくことにより、積層シートが剥離された状態であっても、発信者は、このコード化した記号や数字によって当該情報シートに記載されていた内容（例えば返信者が誰であるかが判る内容）を知ることができる。
【００１９】
請求項２記載の発明は、請求項１記載の発明において、前記シート本体は郵便葉書であり、前記発信者記載領域には返信者の住所および宛先が記載されることを特徴とするものである。
【００２０】
かかる構成によれば、シート本体の発信者記載領域に記載された返送者の住所および宛先によって、発信者が送る当該郵便葉書の送り先が確定する。従って、例えばこの郵便葉書を視認窓が開けられた封筒に封入し、当該視認窓を通して返送者の住所および宛先が見えるようにすれば、当該封筒を返信者に宛てて郵送することができ便利である。また、この封筒に封入されている葉書を受け取った返信者は、当該葉書の返信者記入領域に所要事項を記載した後、返信者の住所および宛先が記載された積層シートを葉書から剥がした上で発信者へ返送するため、たとえ第三者が当該葉書の返信者記載領域に記載されている内容を見ても、その情報が誰のものであるかを知ることができないため情報価値はなく、当該情報を悪用することができない。
【００２１】
請求項３記載の発明は、請求項１または２記載の発明において、前記シート本体には、返送者に対する返信事項についての説明文が記載された説明文記載シートが連設されていることを特徴とするものである。
【００２２】
かかる構成によれば、説明記載シートに当該シート本体の返信者記載領域への記載要領や、積層シートを剥がしてから返送する等の返送の行い方についての説明を記載しておくことにより、返信者は迷うことなく確実な返信処理を行うことができる。
【発明の効果】
【００２３】
本発明に係る通信シートによれば、発信者からの通信シートを受領した返信者は、その返信者記載領域に所定の事項を記載した後、単に積層シートをシート本体から剥離するだけで返送することができるため、従来のように、別途添付された被覆シートをシート本体の所定の位置に貼り付けて秘密を保持する場合に比較し、秘密保持のための作業を簡単なものにすることができる。
【００２４】
また、返信者から返送されてきた通信シートを受領した発信者は、従来のように秘密を保持するべくシート本体上に粘着された被覆シートを一々剥がす必要がないため、極めて効果的であり、大幅な事務の簡素化を達成することができる。
【発明を実施するための最良の形態】
【００２５】
図１は、郵便葉書として適用される本発明に係る通信シートの第１実施形態を示す斜視図であり、図１（Ａ）は、葉書の宛先記載面が上向きにされた状態、図１（Ｂ）は、葉書の情報記載面が上向きにされた状態をそれぞれ示している。また、図２は、図１に示す葉書が封筒に入れられた状態および封筒から出された状態を示す図であり、図２（Ａ）は、葉書が封筒に入れられた状態の一部切り欠き斜視図、図２（Ｂ）は、封筒から引き出された葉書から積層シートが剥離された状態を示す斜視図である。さらに、図３は、図１（Ｂ）のIII−III線断面図であり、図３（Ａ）は、積層シートが剥がされる前の状態、図３（Ｂ）は積層シートが剥がされた状態をそれぞれ示している。なお、図１〜図３において、Ｘ方向を左右方向、Ｙ方向を前後方向といい、特に−Ｘを左方、＋Ｘを右方、−Ｙを前方、＋Ｙを後方という。因みに、図１（Ｂ）においては、Ｘにより表示される左右は、紙面の左右と逆転している。
【００２６】
まず、図１に示すように、本実施形態に係る葉書（通信シート）１は、発信者が所定の目的（例えば、各種の会合への出欠の問い合わせ、各種のアンケート調査への協力依頼、株主総会における議案の賛否等の問い合わせ等）のために所定の封筒４（図２）に封入して返信者へ郵送するものである。かかる葉書シート１は、若干厚手の枚葉紙からなる郵便葉書と同一寸法を呈した葉書本体２と、この葉書本体２に粘着積層される積層シート３とを備えて構成されている。
【００２７】
葉書本体２は、その表面側に発信者の住所および宛先を記載するための発信者宛先記載領域２ａ（図１（Ａ））が設定されているとともに、裏面側に各種の情報を記載するための情報記載面２ｂ（図１（Ｂ））が設定されている。
【００２８】
前記積層シート３は、葉書本体２の情報記載面２ｂにおける右方前方右側に粘着されて積層されている。かかる積層シート３は、図３に示すように、通常紙からなる積層シート本体３ａと、この積層シート本体３ａの裏面側に一体的に剥離不能に積層された粘着剤層３ｂとからなっている。この粘着剤層３ｂが葉書本体２の情報記載面２ｂに粘着されることにより、積層シート３が葉書本体２の情報記載面２ｂに積層されている。
【００２９】
そして、積層シート本体３ａの表面側には、その全面に亘って発信者が予め印字等によって記載する返信者宛先領域（発信者記載領域）３ｃが設定されている。この返信者宛先領域３ｃには、予め返信者の郵便番号、住所および氏名が記載されている。
【００３０】
また、葉書本体２の情報記載面２ｂ（図１（Ｂ））の後部左方には、返信者が記入するための返信者回答領域（返信者記載領域）２ｃが設定されている。この返信者回答領域２ｃには、質問事項と回答欄とが表形式で記載され、返信者は、各質問事項が記載された欄に隣接された表内の回答欄に所定の回答を記入するようになっている。
【００３１】
また、これら返信者回答領域２ｃおよび返信者宛先領域３ｃを除く余白覧には、返信者に宛てた当該葉書シート１の取り扱いに付いての説明や注意事項等が記載されている。
【００３２】
このような葉書シート１は、図２に示すような封筒４に封入されて返信者宛てに郵送される。前記封筒４には、葉書シート１より若干大きい矩形状を呈し、その表面側の前方右側における葉書本体２の積層シート３に対応した位置に、視認窓４ａが開口されている。この、視認窓４ａは、封筒４の表面側の紙の裏側に貼設されたセロファン紙４ｂで覆われている。従って、葉書シート１がその情報記載面２ｂを上向きにして図２に示す封筒４に封入した状態で、積層シート３に記載された返信者の宛先がセロファン紙４ｂを介して視認することができるようになっている。
【００３３】
従って、葉書シート１を封筒４に封入するだけで、特に封筒４の表面に返信者の住所等の宛先を記載しなくても、当該葉書シート１の封入された封筒４を郵送することができる。
【００３４】
そして、郵送されてきた封筒４を受け取った返信者は、当該封筒４を開封して葉書シート１を取り出し、葉書本体２の裏面側の情報記載面２ｂに形成されている返信者回答領域２ｃに必要な回答事項を記入し、積層シート３を葉書本体２から剥がし取った状態（図３（Ｂ））で投函する。
【００３５】
このようにして投函された葉書シート１は、返信者回答領域２ｃに記載された返信者の回答内容が特に隠されている訳ではないため、当該葉書シート１に接した人は誰でも当該回答を見ることができるが、積層シート３が剥がされているため、当該積層シート３の返信者宛先領域３ｃに記載された返信者の名前を知ることができない。従って、見た人は、誰がどのような回答を記載したかを知ることができないため、見る人によっては情報価値は極めて低く、弊害が生じることはない。
【００３６】
また、発信者は、返送されてきた多数枚の葉書シート１の各返信者回答領域２ｃに記載されている内容に基づき統計的な処理を行うことを目的としているときには、特に誰がどのような回答を行ったかを知る必要がないため、積層シート３が剥離されていても特に問題はない。
【００３７】
なお、誰がどのような回答を行ったかを発信者サイドで知る必要があるときには、各返信者に対してコード番号を付与し、このコード番号を葉書シート１のいずれかに記載しておけば、このコード番号を見ることにより、誰がどのように回答したかを知ることができる。
【００３８】
図４および図５は、本発明に係る通信シートの第２実施形態を示す斜視図であり、図４は、表面側を上に向けた状態、図５は、裏面側を上に向けた状態をそれぞれ示している。また、図６は、図５のＶＩ−ＶＩ線断面図であり、図６（Ａ）は、積層シートが剥がされる前の状態、図６（Ｂ）は、積層シートが剥がされた状態をそれぞれ示している。なお、図４〜図６におけるＸおよびＹによる方向表示は、図１の場合と同様（−Ｘ：左方、＋Ｘ：右方、−Ｙ：前方、＋Ｙ：後方）である。
【００３９】
第２実施形態の葉書シート（通信シート）１０は、左右の幅寸法が郵便葉書の幅寸法と同一に寸法設定されているとともに、前後の長さ寸法が縦長の定形の郵便封筒の長さ寸法より僅かに短めに設定されている。そして、このような葉書シート１０において、前端から郵便葉書の長さ寸法分だけ後方へ寄った位置に幅方向へ向けて横断するようにミシン目で形成された切り取り線１１０が設けられ、切り取り線１１０より前方側に葉書部５０が設けられているとともに、切り取り線１１０の後方側に説明部（説明記載シート）６０が形成されている。
【００４０】
前記葉書部５０は、葉書シート１０を受領した返信者が切り取り線１１０から説明部６０を切り離し、残った葉書部５０を郵便葉書として発信者へ返送するためのものである。これに対し説明部６０は、当該葉書シート１０を受領した返信者に対し、当該葉書シート１０の発送目的や、アンケートの回答方法、さらには葉書部５０を返送する場合の注意事項等を記載するためのものである。そしてかかる葉書シート１０は、縦長の定形の封筒７０（図７）に封入されて返信者に向けて郵送される。この葉書シート１０を受領した返信者は、葉書部５０の後述する所定の位置に自身の回答を記入した上で発送者に郵便葉書として返送し得るようになっている。
【００４１】
このような葉書シート１０は、構造的な特徴として通常の用紙からなる第１シート２０と、この第１シート２０と対向して設けられる同一平面形状の第２シート３０と、これら第１および第２シート２０，３０間に介設される中間層４０とを備えて構成されている。そして第１および第２シート２０，３０が中間層４０を介して互いに接着（但し一部は粘着）されることにより、葉書シート１０は、実質的に１枚もののシートとみなすことができるようになっている。
【００４２】
前記第１シート２０は、図４に示すように、発信者の住所および宛先が記載される発信者宛先記載領域２０１を備えた、切り取り線１１０より前方の第１シート本体２１と、切り取り線１１０より後方の説明部６０に対応した第１シート別体２２とからなっている。
【００４３】
これに対し、前記第２シート３０は、図５に示すように、主に返信者に関する事項が記載される面として利用されるものであり、切り取り線１１０より前方側に形成された第２シート本体３１と、この第２シート本体３１の切り取り線１１０より後方側に形成された第２シート別体３２と、第２シート本体３１の一部が切り抜かれることによって形成した積層シート３３とからなっている。
【００４４】
前記積層シート３３は、第１および第２シート２０，３０が中間層４０を介して互いに接着された状態で、第２シート３０と中間層４０との合計の厚み分だけ刃先が環状に形成された刃物によってプレス処理される、いわゆる半裁処理が施されることによって形成される。
【００４５】
第２シート本体３１には、その表面側に返信者の住所、氏名が記載される返信者宛先領域３４と、返信者が回答を記入するための返信者回答領域（返信者記載領域）３５とが設定されている。前記積層シート３３は、返信者宛先領域３４が切り抜かれることによって形成されている。積層シート３３の裏面側には、剥離層３３１（図６、図８）が一体的に積層されている。剥離層３３１としては、例えばシリコーン樹脂やポリテトラフルオロエチレンなどのフッ素樹脂等が採用されている。
【００４６】
そして、返信者宛先領域３４は、封筒７０の視認窓７１（図６）に対応させるべく、第２シート本体３１の前方右側に設定されている一方、返信者回答領域３５は、第２シート本体３１の後方左側に設定されている。返信者回答領域３５は、葉書シート１０を受領した返信者が容易に回答事項を記入し得るようにレイアウト設定された質問事項が記載されている。
【００４７】
前記中間層４０としては、水性アクリル樹脂に所定の補助剤が添加された水性粘着剤や、アクリル系合成樹脂のエマルジョンに所定の補助剤が添加された油性粘着剤等が採用される。かかる粘着剤がフレキソ印刷などによって第２シート３０に積層されることによって中間層４０が形成され、この中間層４０を挟持するように第１および第２シート２０，３０が積層されることによって葉書シート１０が形成される。
【００４８】
このようにして形成された葉書シート１０においては、中間層４０の両面が通常の用紙からなる第１および第２シート２０，３０に積層シート３３の部分を除いて直接粘着されている。そして、用紙と中間層４０との間の粘着力は相当大きいため、第１および第２シート２０，３０が中間層４０から剥離されるようなことはほとんど起こらない。これに対し、積層シート３３は、剥離層３３１を介して中間層４０に粘着されている。従って、積層シート３３は、中間層４０から容易に剥離することができる。
【００４９】
以下、第２実施形態に係る葉書シート１０の作用について図７および図８を基に、必要に応じて図４〜図６も参照しながら説明する。図７は、葉書シート１０が封筒７０に封入された状態を示す一部切り欠き斜視図であり、図８は、葉書シート１０における葉書部５０から説明部６０が切り離されるとともに、積層シート３３が葉書部５０の第２シート本体３１から剥がされた状態を示す斜視図である。なお、図７および図８におけるＸおよびＹによる方向表示は、図１の場合と同様（−Ｘ：左方、＋Ｘ：右方、−Ｙ：前方、＋Ｙ：後方）である。
【００５０】
葉書部５０の発信者宛先記載領域２０１（図４）に自身の宛先が記載あるいは印字され、かつ、裏面側の積層シート３３（図５）に返信者の宛先が記載あるいは印字された葉書シート１０は、図７に示すように、その積層シート３３の返信者の宛先が視認窓７１から視認し得るように封筒７０に封入される。こうすることで特に封筒７０に送付先の宛名書きを行わなくても、返信者の宛先を、視認窓７１に貼設されたセロファン紙７２を介して見ることができるため、この状態で郵送に供される。
【００５１】
このようにして返信者宛てに送り込まれた葉書シート１０は、封筒７０からと取り出されると、表側の葉書部５０には、図４に示すように、発信者の宛先が予め記載されているとともに、裏側の葉書部５０（すなわち第２シート本体３１）の返信者回答領域３５には、返信者が回答するべき事項が記載されているとともに、回答のための欄も用意されている。従って、返信者は、説明部６０に記載されている説明文を読みつつ返信者回答領域３５の所定の回答欄に回答事項を記載する。
【００５２】
ついで、返信者は、返信者回答領域３５の回答欄への記載が完了すると、図８に示すように、説明部６０を葉書部５０から切りはずすとともに、返信者宛先領域３４も中間層４０から積層シート３３を剥離する。この剥離処理は、積層シート３３の裏面側に剥離層３３１が形成されていることから、容易に行うことができる。かかる剥離操作は、従来行われていた、秘密保持の対象位置を被覆シートで覆う操作に比べて容易であるため、返信者サイドにおける作業負荷の軽減が達成される。
【００５３】
そして、積層シート３３が取り除かれた状態の葉書部５０は、郵便葉書として投函される。こうすることによって当該葉書部５０は、発信者の元へ返送されることになる。この返送途中で第三者が返信者回答領域３５に記載されている情報を見ても、当該情報は、積層シート３３に記載されている誰が返送者であるかの情報との組み合わせで情報価値が生じるものである場合には、情報価値が極めて低いため、返信者回答領域３５を覆わなくても特に問題が生じることはない。
【００５４】
これに対し、当該葉書部５０を受領した発送者は、特に返送者が誰であるかが特定されなくても、多数の葉書部５０の返信者回答領域３５に記載されている情報に基づき統計的な処理を行うことが可能であり、しかも、この統計的処理で価値ある情報を得ることができる。
【００５５】
そして、返送されてきた葉書部５０を受領した発送者は、当該葉書部５０を受領する度に葉書部５０の返信者回答領域３５に従来粘着されていた被覆シートを剥がす必要がないため、その分、発信者サイドの作業量を大幅に削減することができる。
【００５６】
因みに、発信者サイドで当該葉書部５０による回答が誰の回答であるかを知りたい場合もある。かかる要望に応えるために、本実施形態においては、葉書部５０の第２シート本体３１における返信者回答領域３５の近傍に当該返送者のコード番号を記載するコード番号記載域３６（図８に示す例では、返信者回答領域３５の左方位置に「株主番号」と記載された近傍に設定されている）が設けられている。第三者はこのコード番号が誰を示すものであるのか知ることができないが、発信者は知ることができるため、従って、発信者は、このコード番号からその回答が誰のものであるかを知ることができる。
【００５７】
以上詳述したように、本発明に係る葉書シート１，１０は、発信者から返信者宛てに発送され、かつ、返信者が所定の事項を記入して発信者宛に返送するものであり、枚葉紙からなるシート本体（第１実施形態の葉書シート１にあっては葉書本体２、第２実施形態の葉書シート１０にあっては葉書部５０）と、このシート本体に剥離可能に粘着積層される積層シート３，３３とを備えている。
【００５８】
そして、シート本体には、発信者が発送前に予め所定の事項を記載する発信者記載領域としての返信者宛先領域３ｃ，３４と、返信者が記載する返信者記載領域としての返信者回答領域２ｃ，３５とが設定され、返信者宛先領域３ｃ，３４は、積層シート本体３ａ，３３に設定されている。
【００５９】
かかる構成によれば、発信者から送られてきた通信シートを受領した返信者は、シート本体（葉書本体２および葉書部５０）の裏面側の返信者回答領域２ｃ，３５（図１（Ｂ））、図５）に所定の情報を記載した上で、発信者が予め所定の情報（本実施形態では返信者の住所、氏名）を記載している発信者宛先記載領域２ａ，２０１を備えた積層シート３，３３を剥離すれば、当該シート本体への記載内容が第三者によって見られても、第三者は返信者が記載した情報を見ることができるが、発信者が記載した返信者の住所、氏名を知ることができない。
【００６０】
従って、シート本体上に記載された情報が、発信者宛先記載領域２ａ，２０１に記載された内容と、返信者回答領域２ｃ，３５に記載された内容との双方を合わせて初めて価値がでるようなものである場合、たとえシート本体上の記載事項を読まれてもそれだけでは情報価値がないため、結果として秘密が保持される。
【００６１】
そして、発信者は、特に発信者宛先記載領域２ａ，２０１に記載された内容が存在しなくても、返信者から返送されてきた多くの通信シートの返信者回答領域２ｃ，３５に記載されている内容により、例えば所定の主題に沿った統計的な解析を行うことが可能であり、これによって情報価値を引き出すことができる。
【００６２】
また、発信者宛先記載領域２ａ，２０１への記載された返信者の氏名については、当該発信者宛先記載領域２ａ，２０１の欄外に例えばコード番号記載域３６を設定し、このコード番号記載域３６に返信者の氏名と対応したコード番号を記載しておくことにより、発信者は、積層シート３，３３が剥離された状態であっても、このコード番号によって当該情報シートに記載されていた発信者の氏名を知ることができる。
【００６３】
このように、発信者からの葉書シート１，１０を受領した返信者は、その返信者回答領域２ｃ，３５に所定の事項を記載した後、単に積層シート３，３３をシート本体から剥離するだけで返送することができるため、従来のように、別途添付された被覆シートをシート本体の所定の位置に貼り付けて秘密を保持する場合に比較し、秘密保持のための作業を簡単なものにすることができる。
【００６４】
また、返信者から返送されてきた葉書シート１，１０を受領した発信者は、従来のように秘密を保持するべくシート本体上に粘着された被覆シートを一々剥がす必要がないため、極めて効果的であり、大幅な事務の簡素化を達成することができる。
【００６５】
そして、本実施形態においては、シート本体として郵便葉書としての葉書シート１，１０が採用され、しかもシート本体の返信者宛先領域３ｃ，３４に発信者によって予め記載または印字された返送者の住所および宛先によって、発信者が送る当該郵便葉書の送り先を確定させることができる。
【００６６】
従って、例えばこの葉書シート１，１０を視認窓７１が開けられた封筒７０に封入し、当該視認窓７１を通して返送者の住所および宛先が見えるようにすれば、一々封筒７０に宛名書きしなくてもよく、当該封筒７０を直ちに返信者に宛てて郵送することができ便利である。
【００６７】
また、この封筒７０に封入されている葉書シート１，１０を受け取った返信者は、当該葉書シート１，１０の返信者回答領域２ｃ，３５に所要事項を記載した後、返信者の住所および宛先が記載された積層シート３，３３を葉書シート１，１０から剥がした上で発信者へ返送するため、たとえ第三者が当該葉書シート１，１０の返信者回答領域２ｃ，３５に記載されている内容を見ても、その情報が誰のものであるかを知ることができないため人によっては情報価値はなく、当該情報を悪用することができない。
【００６８】
そして、特に第２実施形態の葉書シート１０においては、葉書部５０には、返送者に対する返信事項についての説明文が記載された説明部６０が切り取り線１１０を介して連設されているため、説明部６０に当該葉書部５０の返信者回答領域２ｃ，３５への記載要領や、積層シート３３を剥がしてから返送する等の返送の行い方についての説明等を記載しておくことにより、返信者は迷うことなく確実な返信処理を行うことができる。
【００６９】
本発明は、上記の実施形態に限定されるものではなく、以下の内容をも包含するものである。
【００７０】
（１）上記の実施形態においては、通信シートとして葉書シート１，１０を例に挙げて説明したが、本発明は、通信シートが葉書シート１，１０であることに限定されるものではなく、秘密情報を伝達するための各種のシートに適用することができる。
【００７１】
（２）上記の第１実施形態において、葉書本体２における積層シート３の粘着剤層３ｂが粘着される部分に剥離層を積層してもよい。こうすることで積層シート３を葉書本体２から容易に剥離することができる。
【００７２】
（３）上記の第２実施形態においては、葉書部５０に説明部６０が連設されているが、本発明は、葉書部５０に説明部６０を連設することに限定されるものではなく、特に設けなくてもよい。この場合には、葉書部５０の余白部分に各種の説明文が記載される。
【００７３】
（４）上記の第２実施形態において、積層シート３３の周縁部と第２シート本体３１との間に所定ピッチで僅かな寸法の複数の切り残し部を設けてもよい。こうすることで積層シート３３が不用意に捲れてしまうような不都合の発生を防止することができる。
【図面の簡単な説明】
【００７４】
【図１】郵便葉書として適用される本発明に係る通信シートの第１実施形態を示す斜視図であり、（Ａ）は、葉書の宛先記載面が上向きにされた状態、（Ｂ）は、葉書の情報記載面が上向きにされた状態をそれぞれ示している。
【図２】図１に示す葉書が封筒に入れられた状態および封筒から出された状態を示す図であり、（Ａ）は、葉書が封筒に入れられた状態の一部切り欠き斜視図、（Ｂ）は、封筒から引き出された葉書から積層シートが剥離された状態を示す斜視図である。
【図３】図１（Ｂ）のIII−III線断面図であり、（Ａ）は、積層シートが剥がされる前の状態、（Ｂ）は積層シートが剥がされた状態をそれぞれ示している。
【図４】本発明に係る通信シートの第２実施形態である葉書シートを示す表面側を上に向けた状態の斜視図である。
【図５】図４に示す葉書シートの裏面側を上に向けた状態を示す斜視図である。
【図６】図５のＶＩ−ＶＩ線断面図であり、（Ａ）は、積層シートが剥がされる前の状態、（Ｂ）は、積層シートが剥がされた状態をそれぞれ示している。
【図７】葉書シートが封筒に封入された状態を示す一部切り欠き斜視図である。
【図８】葉書シートにおける葉書部から説明部が切り離されるとともに、積層シートが葉書部の第２シート本体から剥がされた状態を示す斜視図である。
【図９】従来の葉書シートの一例を示す斜視図であり、（Ａ）は、当該葉書シートの裏面側を、（Ｂ）は、葉書シートの裏面側から剥離紙が剥がされた状態を、（Ｃ）は、被覆シート部が葉書部へ折り返されて返信事項記載領域が当該被覆シート部により被覆された状態をそれぞれ示している。
【符号の説明】
【００７５】
１  葉書シート（通信シート）  ２  葉書本体
２ａ  発信者宛先記載領域      ２ｂ  情報記載面
２ｃ  返信者回答領域（返信者記載領域）
３  積層シート                ３ａ  積層シート本体
３ｂ  粘着剤層                ３ｃ  返信者宛先領域（発信者記載領域）
４  封筒                      ４ａ  視認窓
４ｂ  セロファン紙            １０  葉書シート（通信シート）
１１０  切り取り線            ２０  第１シート
２０１  発信者宛先記載領域    ２１  第１シート本体
２２  第１シート別体          ３０  第２シート
３１  第２シート本体          ３２  第２シート別体
３３  積層シート              ３３１  剥離層
３４  返信者宛先領域          ３５  返信者回答領域（返信者記載領域）
３６  コード番号記載域        ４０  中間層
５０  葉書部                  ６０  説明部（説明記載シート）
７０  封筒                    ７１  視認窓
７２  セロファン紙            １００  葉書シート
１０１  葉書部                １０１ａ  返信者宛先記載領域
１０１ｂ  返信事項記載領域    １０２  被覆シート部
１０２ａ  剥離層              
１０３  第１シート            １０３ａ  切り取り線
１０４  第２シート            １０５  中間層
１０５ａ  接着剤層            １０５ｂ  粘着材層
１０６  剥離紙
【図１】
2009255353.tif 000003
【図２】
2009255353.tif 000004
【図３】
2009255353.tif 000005
【図４】
2009255353.tif 000006
【図５】
2009255353.tif 000007
【図６】
2009255353.tif 000008
【図７】
2009255353.tif 000009
【図８】
2009255353.tif 000010
【図９】
2009255353.tif 000011